(57)【要約】【課題】加熱コイルのリード部の端子と駆動回路基板のリード部の端子との接続作業が容易で、かつ加熱コイルのリード部を短くすることができるようにする。【解決手段】本体ケース１と、本体ケースの上面に配置されて被加熱調理容器２を載置する天板３と、天板の下方に配置された加熱コイル４と、加熱コイルを、そのリード部を下方へ引出可能に載置するコイルベース５と、加熱コイルに高周波電流を流す駆動回路基板６とを備え、加熱コイルのリード部の端末および駆動回路基板のリード部の端末には、それぞれ端子９，１１を設け、コイルベースには、加熱コイルのリード部の端子９と駆動回路基板のリード部の端子１１を、当該コイルベースの下面側と他の面側との間で中継接続し固定する端子接続固定手段を設ける。【選択図】図４
2011054332.tif 000002
【特許請求の範囲】
【請求項１】
本体ケースと、
前記本体ケースの上面に配置されて被加熱調理容器を載置する天板と、
前記天板の下方に配置された加熱コイルと、
前記加熱コイルを、そのリード部を下方へ引出可能に載置するコイルベースと、
前記加熱コイルに高周波電流を流す駆動回路基板とを備え、
前記加熱コイルのリード部の端末および前記駆動回路基板のリード部の端末には、それぞれ端子を設け、
前記コイルベースには、前記加熱コイルのリード部の端子と前記駆動回路基板のリード部の端子を、当該コイルベースの下面側と他の面側との間で中継接続し固定する端子接続固定手段を設けたことを特徴とする誘導加熱調理器。
【請求項２】
前記端子接続固定手段は、
前記コイルベースに形成されたスリットに嵌入されて該スリットを貫通する両端が当該コイルベースの下面側と上面側に沿うように互いに逆方向に折曲されたクランク形状の接続金具と、
前記接続金具の前記下面側の折曲部と前記加熱コイルのリード部の端子とを接続固定するコイル側端子固定手段と、
前記接続金具の前記上面側の折曲部と前記駆動回路基板のリード部の端子とを接続固定する基板側端子固定手段と、
を備えることを特徴とする請求項１記載の誘導加熱調理器。
【請求項３】
前記端子接続固定手段は、
前記コイルベースの周縁部に嵌着されたコ字状の接続金具と、
前記接続金具のコイルベース下面側に位置するコ字状の一方の片と前記加熱コイルのリード部の端子とを接続固定するコイル側端子固定手段と、
前記接続金具のコイルベース上面側に位置するコ字状の他方の片と前記駆動回路基板のリード部の端子とを接続固定する基板側端子固定手段と、
を備えることを特徴とする請求項１記載の誘導加熱調理器。
【請求項４】
前記端子接続固定手段は、
前記コイルベースに形成されたスリットに嵌入されて該スリットを貫通する一端が当該コイルベースの下面側に沿うように折曲されるとともに、該スリットから当該コイルベースの上面側または側面側に突出する他端側がタブ端子に形成されたＬ字状の接続金具と、
前記接続金具のコイルベース下面側に位置する前記Ｌ字状の一方の片と前記加熱コイルのリード部の端子とを接続固定するコイル側端子固定手段と、
前記接続金具のコイルベース上面側または側面側に突出する前記タブ端子と前記駆動回路基板のリード部の端子とを接続固定する基板側端子固定手段と、
を備えることを特徴とする請求項１記載の誘導加熱調理器。
【発明の詳細な説明】
【技術分野】
【０００１】
本発明は、一般家庭で使用する誘導加熱調理器に係り、より詳しくは加熱コイルと駆動回路基板との電気的、機械的接続部の改良に関するものである。
【背景技術】
【０００２】
従来、この種の誘導加熱調理器において、加熱コイルと駆動回路基板との電気的、機械的接続は、加熱コイルのリード部を、駆動回路基板上面側または加熱コイルと駆動回路基板の間に設けた端子台まで引き回して、その端子と駆動回路基板側のリード部の端子とを、ねじ止め、かしめ等にて接続する手法がとられている。又は、加熱コイルのリード部の端子と駆動回路基板のリード部の端子を、コイルベース上面側にて中継接続し固定する端子接続固定手段を設け、加熱コイルのリード部の端子と駆動回路基板のリード部の端子を前記端子接続固定手段にねじ止め、かしめ等にて接続する手法がとられている（例えば、特許文献１参照）。
【先行技術文献】
【特許文献】
【０００３】
【特許文献１】特開２００２−７５６１１号公報（図２、図６〜８）
【発明の概要】
【発明が解決しようとする課題】
【０００４】
しかしながら、前述のように駆動回路基板上面側や加熱コイルと駆動回路基板の間に設けた端子台やコイルベース上面側にて、加熱コイルのリード部の端子と駆動回路基板のリード部の端子を接続するようにしたものにあっては、加熱コイルのコイルベース下方に引き出されたリード部の端子を、コイルベースを裏返してコイルベース上面側まで引き回して固定しているため、作業性が悪く、また加熱コイルのリード部が長くなる問題があった。
【０００５】
本発明の技術的課題は、加熱コイルのリード部の端子と駆動回路基板のリード部の端子との接続作業が容易で、かつ加熱コイルのリード部を短くすることができるようにすることにある。
【課題を解決するための手段】
【０００６】
本発明に係る誘導加熱調理器は、本体ケースと、本体ケースの上面に配置されて被加熱調理容器を載置する天板と、天板の下方に配置された加熱コイルと、加熱コイルを、そのリード部を下方へ引出可能に載置するコイルベースと、加熱コイルに高周波電流を流す駆動回路基板とを備え、加熱コイルのリード部の端末および駆動回路基板のリード部の端末には、それぞれ端子を設け、コイルベースには、加熱コイルのリード部の端子と駆動回路基板のリード部の端子を、当該コイルベースの下面側と他の面側との間で中継接続し固定する端子接続固定手段を設けたものである。
【発明の効果】
【０００７】
本発明の誘導加熱調理器によれば、加熱コイルのリード部の端子と駆動回路基板のリード部の端子を、端子接続固定手段によりコイルベースの下面側と他の面側との間で中継接続し固定するようにしているので、加熱コイルのリード部の端子と駆動回路基板のリード部の端子との接続作業が容易となるとともに、加熱コイルのリード部を短くすることができる。
【図面の簡単な説明】
【０００８】
【図１】本発明の実施の形態１に係る誘導加熱調理器の外観を示す斜視図である。
【図２】本発明の実施の形態１に係る誘導加熱調理器の天板を外した状態の斜視図である。
【図３】本発明の実施の形態１に係る誘導加熱調理器のコイルベース部の下面図である。
【図４】本発明の実施の形態１に係る誘導加熱調理器のコイルベース部の縦断面図である。
【図５】本発明の実施の形態１に係る誘導加熱調理器のコイルベースにおける端子接続部の分解斜視図である。
【図６】本発明の実施の形態１に係る誘導加熱調理器のコイルベースにおける端子接続部の変形例を示す分解斜視図である。
【図７】本発明の実施の形態１に係る誘導加熱調理器のコイルベースにおける端子接続部の他の変形例を示す分解斜視図である。
【図８】本発明の実施の形態２に係る誘導加熱調理器のコイルベース部の下面図である。
【図９】本発明の実施の形態２に係る誘導加熱調理器のコイルベース部の縦断面図である。
【図１０】本発明の実施の形態２に係る誘導加熱調理器のコイルベースにおける端子接続部の分解斜視図である。
【図１１】本発明の実施の形態２に係る誘導加熱調理器のコイルベースにおける端子接続部の変形例を示す分解斜視図である。
【図１２】本発明の実施の形態２に係る誘導加熱調理器のコイルベースにおける端子接続部の他の変形例を示す分解斜視図である。
【図１３】本発明の実施の形態２に係る誘導加熱調理器の端子接続固定手段の更に他の変形例を示す分解斜視図である。
【図１４】本発明の実施の形態３に係る誘導加熱調理器のコイルベース部の下面図である。
【図１５】本発明の実施の形態３に係る誘導加熱調理器のコイルベース部の縦断面図である。
【図１６】本発明の実施の形態３に係る誘導加熱調理器のコイルベースにおける端子接続部の分解斜視図である。
【図１７】本発明の実施の形態３に係る誘導加熱調理器のコイルベースにおける端子接続部の変形例を示す分解斜視図である。
【発明を実施するための形態】
【０００９】
実施の形態１．
以下、図示実施の形態により本発明を説明する。
図１は本発明の実施の形態１に係る誘導加熱調理器の外観を示す斜視図である。図２は本発明の実施の形態１に係る誘導加熱調理器の天板を外した状態の斜視図である。図３は本発明の実施の形態１に係る誘導加熱調理器のコイルベース部の下面図である。図４は本発明の実施の形態１に係る誘導加熱調理器のコイルベース部の縦断面図であり、コイルベースの端子接続固定側半分を示してある。
【００１０】
本実施の形態の誘導加熱調理器は、図１のように本体を構成する本体ケース１と、本体ケース１の上部開口には、被加熱調理容器２を載置するための、例えば耐熱ガラスの如き非磁性材からなる平板状の天板３が設置され、覆われている。
【００１１】
図２に示すように、本体ケース１内には、その前方に、被加熱調理容器２を誘導加熱するための誘導式熱源である加熱コイル４と、前記加熱コイル４を載置するためのコイルベース５があり、前記加熱コイル４に高周波電流を流す駆動回路基板６と、前記加熱コイル４、及び前記駆動回路基板６を冷却するための冷却ファン７が設けられている。
前記加熱コイル４のリード部の端末および前記駆動回路基板６のリード部の端末には、それぞれ中継接続するための端子９，１１が、かしめ、溶接等にて取り付けられている。
コイルベース５の上下面に、加熱コイル４のリード部の端末に取り付けられた端子９、及び駆動回路基板６のリード部の端末に取り付けられた端子１１を、中継接続し固定する端子接続固定手段を構成する。
【００１２】
端子接続固定方法は特に限定するものでなく、電気的、機械的に接続できていればねじ止め、かしめ、溶接等、設計者が任意に選択できるものである。
【００１３】
組立工程は、加熱コイル４とコイルベース５を組合せたものをコイルが下になるように冶具の上に置く。フェライト８を嵌合保持する溝にシリコンを塗り、フェライト８を嵌める。コイルベース５に加熱コイル４のリード部の端子９と接続金具１０Ａを固定する。
次いで、本体ケース１内に、コイルベース５を、加熱コイル４が上面、フェライト８が下面になるように組立て、接続金具１０Ａに駆動回路基板６のリード部の端子１１を固定する。
【００１４】
図３に示すように、コイルベース５は、下部にフェライト８を嵌合保持し、上部に加熱コイル５を載置しており、加熱コイル５のリード部が下方へ引き出されている。
【００１５】
図４に示すように、接続金具１０Ａは、コイルベース５を貫通する両端が互いに逆方向に折曲されたクランク形状に形成されたもので、加熱コイル４のリード部の端子９と接続金具１０Ａの下面側の折曲部を重ねてコイル側端子固定手段であるねじ１２ａでコイルベース５の下面に接続固定し、駆動回路基板６のリード部の端子１１と接続金具１０Ａの上面側の折曲部を重ねて基板側端子固定手段であるねじ１２ｂでコイルベース５の上面に接続固定する構成である。
【００１６】
以上のような構造にすることにより、本実施の形態１において、加熱コイル４のリード部の端子９と駆動回路基板６のリード部の端子１１との接続作業が容易となり、かつ加熱コイル４のリード部を短くすることができる。
【００１７】
（実施例１−１）
図５は端子接続固定手段の実施例１−１に係る誘導加熱調理器のコイルベースにおける端子接続部の分解斜視図であり、図中、前述の図１〜４と同一部分には同一符号を付してある。この実施例１−１の端子接続固定手段は、コイルベース５にスリット１５があり、スリット１５の片方の側面にスリット奥行き方向に延びる隆起部分１６があり、接続金具１０Ａの中間連結部をスリット１５に入れることで、隆起部分１６とその対向するスリット側面との間に接続金具１０Ａを挟み仮止めする構造になっている。ここでは、加熱コイル４のリード部の端子９と駆動回路基板６のリード部の端子１１とをいずれも丸形端子とし、クランク状の接続金具１０Ａの上面側と下面側にバーリング加工したねじ穴１３があり、コイルベース５の下面に接続金具１０Ａと加熱コイル４のリード部の端子９を、コイルベース５の上面に接続金具１０Ａと駆動回路のリード部の端子１１を、それぞれねじ１２ａ，１２ｂによって止着することで接続固定したものである。
【００１８】
以上のような構造にすることにより、この実施例１−１において、加熱コイル４のリード部の端子９と駆動回路基板６のリード部の端子１１との接続作業が容易となり、かつ加熱コイル４のリード部を短くすることができる。
【００１９】
（実施例１−２）
図６は端子接続固定手段の実施例１−２に係る誘導加熱調理器のコイルベースにおける端子接続部を示す分解斜視図であり、図中、前述の図５と同一部分には同一符号を付してある。この実施例１−２の端子接続固定手段は、加熱コイル４のリード部の端子９を丸型端子とし、駆動回路基板６のリード部の端子１１をファストン端子とし、クランク状の接続金具１０Ｂの下面側にバーリング加工したねじ穴１３があり、上面側にはタブ端子１７を施し、コイルベース５の下面に接続金具１０Ｂと加熱コイル４のリード部の端子９をねじ止めして、コイルベース５の上面側で接続金具１０Ｂと駆動回路基板６のリード部の端子１１をファストン端子で接続固定したものである。
【００２０】
以上のような構造にすることにより、この実施例１−２においても、加熱コイル４のリード部の端子９と駆動回路基板６のリード部の端子１１との接続作業が容易となり、かつ加熱コイル４のリード部を短くすることができる。
【００２１】
（実施例１−３）
図７は端子接続固定手段の実施例１−３に係る誘導加熱調理器のコイルベースにおける端子接続部を示す分解斜視図であり、図中、前述の図５，６と同一部分には同一符号を付してある。この実施例１−３の端子接続固定手段は、加熱コイル４のリード部の端子９と接続金具１０Ｃの下面側をかしめて接続している。また、駆動回路基板６のリード部の端子１１は丸形端子とし、接続金具１０Ｃの上面側にバーリング加工したねじ穴１３を設け、コイルベース５の上面に接続金具１０Ｃと駆動回路基板６のリード部の端子１１を基板側端子固定手段であるねじ１２ｂで止着することで接続固定したものである。
【００２２】
以上のような構造にすることにより、この実施例１−３においても、加熱コイル４のリード部の端子９と駆動回路基板６のリード部の端子１１との接続作業が容易となり、かつ加熱コイル４のリード部を短くすることができる。
【００２３】
実施の形態２．
図８は本発明の実施の形態２に係る誘導加熱調理器のコイルベース部の下面図、図９は本発明の実施の形態２に係る誘導加熱調理器のコイルベース部の縦断面図であり、コイルベースの端子接続固定側半分を示してある。なお、各図中、前述の図３，４と同一部分には同一符号を付してある。図９のように、接続金具１０Ｄは、コ字状に折曲形成されているとともに、コ字状の対向する片の一方の片が他方の片よりも長尺に設定されている。また、接続金具１０Ｄのコ字状の対向する片の双方に、平面的に位置をずらせてバーリング加工したねじ穴１３が設けられている。コイルベース５には、接続金具１０Ｄを嵌め込む溝が設けられ、溝の壁面の少なくとも一方に突起１８が形成されていて、接続金具１０Ｄを嵌め込むことで、突起１８とその対向する壁面との間に接続金具１０Ｄを挟み、仮止めする構造になっている。
【００２４】
以上のような構造にすることにより、本実施の形態２においても、加熱コイル４のリード部の端子９と駆動回路基板６のリード部の端子１１との接続作業が容易となり、かつ加熱コイル４のリード部を短くすることができる。
【００２５】
（実施例２−１）
図１０は端子接続固定手段の実施例２−１に係る誘導加熱調理器のコイルベースにおける端子接続部を示す分解斜視図であり、図中、前述の図５と同一部分には同一符号を付してある。この実施例２−１の端子接続固定手段は、加熱コイル４のリード部の端子９と駆動回路基板６のリード部の端子１１を、いずれも丸形端子とし、接続金具１０Ｄのコ字状の対向する片の双方、つまり上面側の片と下面側の片に、バーリング加工したねじ穴１３があり、コイルベース５の下面に接続金具１０Ｄと加熱コイル４のリード部の端子９を、またコイルベース５の上面に接続金具１０Ｄと駆動回路基板６のリード部の端子１１を、それぞれねじ１２ａ，１２ｂによって止着することで接続固定したものである。
【００２６】
以上のような構造にすることにより、この実施例２−１においても、加熱コイル４のリード部の端子９と駆動回路基板６のリード部の端子１１との接続作業が容易となり、かつ加熱コイル４のリード部を短くすることができる。
【００２７】
（実施例２−２）
図１１は端子接続固定手段の実施例２−２に係る誘導加熱調理器のコイルベースにおける端子接続部を示す分解斜視図であり、図中、前述の図１０と同一部分には同一符号を付してある。この実施例２−２の端子接続固定手段は、加熱コイル４のリード部の端子９を丸型端子とし、駆動回路基板６のリード部の端子１１をファストン端子とし、コ字状の接続金具１０Ｅの下面側にバーリング加工したねじ穴１３があり、上面側にはタブ端子１７を側方に突出させて設け、コイルベース５の下面に接続金具１０Ｅと加熱コイル４のリード部の端子９をねじ１２ａによって止着することで接続固定し、コイルベース５の上面側で接続金具１０Ｅと駆動回路基板６のリード部の端子１１をファストン端子で接続固定したものである。
【００２８】
以上のような構造にすることにより、この実施例２−２においても、加熱コイル４のリード部の端子９と駆動回路基板６のリード部の端子１１との接続作業が容易となり、かつ加熱コイル４のリード部を短くすることができる。
【００２９】
（実施例２−３）
図１２は端子接続固定手段の実施例２−３に係る誘導加熱調理器のコイルベースにおける端子接続部を示す分解斜視図であり、図中、前述の図１０と同一部分には同一符号を付してある。この実施例２−３の端子接続固定手段は、加熱コイル４のリード部の端子９とコ字状の接続金具１０Ｆをかしめて接続している。また、駆動回路基板６のリード部の端子１１を丸形端子とし、接続金具１０Ｆの上面側にバーリング加工したねじ穴１３があり、コイルベース５の上面に接続金具１０Ｆと駆動回路基板６のリード部の端子１１をねじ１２ｂによって止着することで接続固定したものである。
【００３０】
以上のような構造にすることにより、この実施例２−３においても、加熱コイル４のリード部の端子９と駆動回路基板６のリード部の端子１１との接続作業が容易となり、かつ加熱コイル４のリード部を短くすることができる。
【００３１】
（実施例２−４）
図１３は端子接続固定手段の実施例２−４に係る誘導加熱調理器の端子接続固定手段を示す分解斜視図であり、図中、前述の図１０と同一部分には同一符号を付してある。この実施例２−４の端子接続固定手段は、コ字状の接続金具１０Ｇの形状を横長にするとともに、その上面側の片と下面側の片の各端子との接続部が平面的に見て重ならないように切り欠きを設けることで、コイルベース５の端子接続固定部分の出っ張りを短くできるようにしたものである。ここでは、加熱コイル４のリード部の端子９と駆動回路基板６のリード部の端子１１を、いずれも丸形端子とし、接続金具１０Ｇの上面側と下面側にバーリング加工したねじ穴１３を設け、コイルベース５の下面に接続金具１０Ｇと加熱コイル４のリード部の端子９をねじ１２ａによって止着することで接続固定し、コイルベース５の上面に接続金具１０Ｇと駆動回路基板６のリード部の端子１１をねじ１２ｂによって止着することで接続固定したものである。
【００３２】
以上のような構造にすることにより、この実施例２−４においても、加熱コイル４のリード部の端子９と駆動回路基板６のリード部の端子１１との接続作業が容易となり、かつ加熱コイル４のリード部を短くすることができる。
【００３３】
実施の形態３．
図１４は実施の形態３に係る誘導加熱調理器のコイルベース部の下面図、図１５は本発明の実施の形態３に係る誘導加熱調理器のコイルベース部の縦断面図であり、コイルベースの端子接続固定側半分を示してある。なお、各図中、前述の図３，４と同一部分には同一符号を付してある。図１５のように、接続金具１０Ｈは、Ｌ字状に折曲形成され、Ｌ字状の接続金具１０Ｈの下面側となる一方の片にバーリング加工したねじ穴１３が形成されているとともに、Ｌ字状の接続金具１０Ｈの他方の片がコイルベース５を貫通できる長さに設定され、その貫通端にタブ端子を上方向に施してある。そして、コイルベース５の下面に接続金具１０Ｈと加熱コイル４のリード部の端子９をねじ１２ａによって止着することで接続固定し、コイルベース５の上面側で接続金具１０Ｈと駆動回路基板６のリード部の端子１１をファストン端子で接続固定したものである。
【００３４】
以上のような構造にすることにより、本実施の形態３においても、加熱コイル４のリード部の端子９と駆動回路基板６のリード部の端子１１との接続作業が容易となり、かつ加熱コイル４のリード部を短くすることができる。加えて、接続金具１０Ｈは、前述の実施の形態１や実施の形態２の接続金具より製造上の加工回数が少なくて済むため、安価に製造することができる。
【００３５】
（実施例３−１）
図１６は端子接続固定手段の実施例３−１に係る誘導加熱調理器のコイルベースにおける端子接続部を示す分解斜視図であり、図中、前述の図１４，１５と同一部分には同一符号を付してある。この実施例３−１の端子接続固定手段は、コイルベース５にスリット１５があり、スリット１５の片方の側面にスリット奥行き方向に延びる隆起部分１６があり、Ｌ字状の接続金具１０Ｈの垂直面となる側の片をスリット１５に入れることで、隆起部分１６とその対向するスリット側面との間に接続金具１０Ｈを挟み仮止めする構造になっている。また、Ｌ字状の接続金具１０Ｈの下面側となる一方の片にバーリング加工したねじ穴１３を形成するとともに、Ｌ字状の接続金具１０Ｈの他方の片（垂直面となる側の片）がコイルベース５すなわちスリット１５を貫通できる長さに設定され、その貫通端にタブ端子１７を設けている。また、加熱コイル４のリード部の端子９を丸型端子とし、駆動回路基板６のリード部の端子１１をファストン端子としている。そして、コイルベース５の下面側に接続金具１０Ｈと加熱コイル４のリード部の端子９をねじ１２ａによって止着することで接続固定し、コイルベース５の上面側で接続金具１０Ｈのタブ端子１７と駆動回路基板６のリード部の端子１１をファストン端子で接続固定したものである。
【００３６】
以上のような構造にすることにより、この実施例３−１においても、加熱コイル４のリード部の端子９と駆動回路基板６のリード部の端子１１との接続作業が容易となり、かつ加熱コイル４のリード部を短くすることができる。
【００３７】
（実施例３−２）
図１７は端子接続固定手段の実施例３−２に係る誘導加熱調理器のコイルベースにおける端子接続部を示す分解斜視図であり、図中、前述の図１６と同一機能部分には同一符号を付してある。この実施例３−２の端子接続固定手段は、コイルベース５にスリット１５があり、スリット１５の片方の側面にスリット奥行き方向に延びる隆起部分１６があり、Ｌ字状の接続金具１０Ｉの垂直面となる側の片をスリット１５に入れることで、隆起部分１６とその対向するスリット側面との間に接続金具１０Ｉを挟み仮止めする構造になっている。また、Ｌ字状の接続金具１０Ｉの下面側となる一方の片にバーリング加工したねじ穴１３を形成するとともに、Ｌ字状の接続金具１０Ｉの他方の片（垂直面となる側の片）の一側縁部にスリット１５を側方に貫通するタブ端子１７を設けている。また、加熱コイル４のリード部の端子９を丸型端子とし、駆動回路基板６のリード部の端子１１をファストン端子としている。そして、コイルベース５の下面側に接続金具１０Ｉと加熱コイル４のリード部の端子９をねじ１２ａによって止着することで接続固定し、コイルベース５の側面側で接続金具１０Ｉのタブ端子１７と駆動回路基板６のリード部の端子１１をファストン端子で接続固定したものである。
【００３８】
以上のような構造にすることにより、この実施例３−２においても、加熱コイル４のリード部の端子９と駆動回路基板６のリード部の端子１１との接続作業が容易となり、かつ加熱コイル４のリード部を短くすることができる。加えて、駆動回路基板６がコイルベース５の真下にある場合に、駆動回路基板６のリード部を短くすることもできる。
【符号の説明】
【００３９】
１  本体ケース、２  被加熱調理容器、３  天板、４  加熱コイル、５  コイルベース、６  駆動回路基板、９  加熱コイルのリード部の端子、１０Ａ〜１０Ｃ  クランク形状の接続金具、１０Ｄ〜１０Ｇ  コ字状の接続金具、１０Ｈ〜１０Ｉ  Ｌ字状の接続金具、１１  駆動回路基板のリード部の端子、１２ａ  ねじ（コイル側端子固定手段）、１２ｂ  ねじ（基板側端子固定手段）、１５  スリット、１７  タブ端子。
【図１】
2011054332.tif 000003
【図２】
2011054332.tif 000004
【図３】
2011054332.tif 000005
【図４】
2011054332.tif 000006
【図５】
2011054332.tif 000007
【図６】
2011054332.tif 000008
【図７】
2011054332.tif 000009
【図８】
2011054332.tif 000010
【図９】
2011054332.tif 000011
【図１０】
2011054332.tif 000012
【図１１】
2011054332.tif 000013
【図１２】
2011054332.tif 000014
【図１３】
2011054332.tif 000015
【図１４】
2011054332.tif 000016
【図１５】
2011054332.tif 000017
【図１６】
2011054332.tif 000018
【図１７】
2011054332.tif 000019